(57)【要約】【課題】手間や時間を低減できる簡単な作業により、隣り合う什器の天板同士の間隔や、天板と壁との間隔を一定に保持することができる。【解決手段】天板１０と、床面Ｆ上に設置されて天板１０を支持する一対の支持脚１１Ａ、１１Ｂと、支持脚１１Ａ、１１Ｂの下端に設けられるベース部材３１と、延伸部２１及び延伸部２１の先端に設けられた当接部２２を有し、ベース部材３１から水平方向に延伸部２１を突出させて配置可能なスペーサー２０とを備え、スペーサー２０は、当接部２２が鉛直軸回りに回転不能で支持脚１１Ａの側面１１ａに係止される収納位置と、当接部２２が天板１０の外周端部よりも張り出した張出し位置Ｐ２と、の間で選択的に切り替え可能な状態でベース部材３１の上面３１ｂに固定された構成の什器を提供する。【選択図】図１
2019062945.tif 000002
【特許請求の範囲】
【請求項１】
天板と、
床面上に設置されて前記天板を支持する脚部と、
前記脚部の下端に設けられるベース部材と、
延伸部及び該延伸部の先端に設けられた当接部を有し、前記ベース部材から水平方向に前記延伸部を突出させて配置可能なスペーサーと、を備え、
前記スペーサーは、前記当接部が鉛直軸回りに回転不能で前記脚部の側面に係止される収納位置と、前記当接部が前記天板の外周端部よりも張り出した張出し位置と、の間で選択的に切り替え可能な状態で前記ベース部材の上面に固定されていることを特徴とする什器。
【請求項２】
前記スペーサーの前記延伸部には、延伸方向に沿う順に第１固定部と第２固定部とが設けられ、
前記ベース部材には、前記張出し位置にある前記スペーサーの前記第１固定部と前記第２固定部にそれぞれ対応して固定される第１被固定部、第２被固定部を有し、
前記収納位置において、前記スペーサーの前記第１固定部を前記第１被固定部に固定されていることを特徴とする請求項１に記載の什器。
【請求項３】
前記スペーサーの前記延伸部には、スペーサー幅方向の中心に位置する第１挿入孔と、前記スペーサー幅方向で前記第１挿入孔からずれて位置する第２挿入孔と、が設けられ、
前記ベース部材には、雌ねじ部が設けられ、
前記張出し位置において、前記第１挿入孔を前記雌ねじ部に一致させた状態でねじで固定され、
前記収納位置において、前記第２挿入孔を前記雌ねじ部に一致させた状態でねじで固定されていることを特徴とする請求項１に記載の什器。
【請求項４】
前記スペーサーの前記延伸部には、スペーサー幅方向に延びる長穴が設けられ、
前記ベース部材には、雌ねじ部が設けられ、
前記張出し位置において、前記長穴の長軸方向の中心部を前記雌ねじ部に一致させた状態でねじで固定され、
前記収納位置において、前記長穴の前記長軸方向で前記中心部からずれた位置を前記雌ねじ部に一致させた状態でねじで固定されていることを特徴とする請求項１に記載の什器。
【請求項５】
前記ベース部材には、互いに離間する一対の前記脚部が設けられ、
前記一対の前記脚部同士の離間は、前記収納位置にある前記スペーサーの延伸方向の長さ寸法よりも大きいことを特徴とする請求項１乃至４のいずれか１項に記載の什器。
【請求項６】
前記ベース部材と前記脚部とが直角に設けられ、
前記延伸部と前記当接部との間とが直角に屈曲していることを特徴とする請求項１乃至５のいずれか１項に記載の什器。
【発明の詳細な説明】
【技術分野】
【０００１】
本発明は、什器に関する。
【背景技術】
【０００２】
従来、オフィスや公共施設等の執務空間においては、執務者に作業エリアを提供するためにデスクが用いられている。このような作業用のデスク等では、部屋の中央部に単体で設置されて使用されることがあり、そのような場合には天板の四方から利用し易くするために、上面視で、脚端部が天板の内方の位置に収まっていることが好ましい。
【０００３】
一方で、複数のデスクを背中合わせに対向させて配置する場合や、壁付けにして配置する場合には、デスクが動いて天板同士の間の隙間、或いは壁と天板との間に隙間が生じたときに、ペン等の物体が挟み込まれ易い。とくに、天板が昇降可能な構造となる場合には、前記隙間に物体が挟まったまま、天板を昇降すると前記物体が損傷するおそれがあった。
【０００４】
そこで、デスクの天板同士を突き合わせたときに、天板同士の間に物体が挟まり難い所定の大きさ（例えば２ｃｍ以上）の隙間を積極的に設ける構成として、例えば特許文献１に示すようなデスク装置が知られている。特許文献１には、天板と、床面上に設置されて天板を支持する脚部と、脚部の下端に設けられるベース部材の下面から突出するように設けたスペーサー部材を、他のデスクのスペーサー部材に突き当てることで、天板同士の隙間を一定に保つ構成が開示されている。
【先行技術文献】
【特許文献】
【０００５】
【特許文献１】特開２０１６−８７０３０号公報
【発明の概要】
【発明が解決しようとする課題】
【０００６】
しかしながら、従来のデスクでは、以下のような問題があった。
すなわち、重量物を載せて作業するような作業台として使用されるデスクの場合、天板、脚部、及びベース部材に剛性をもたせており、重量も大きくなっている。そのため、上述したようなデスクを背中合わせに対向させて配置する場合や、壁付けにして配置する場合において、特許文献１に示すようなベース部材の下面に設けられたスペーサー部材を突出するように操作する際に、例えばベース部材の下面が見える状態となるようにデスクを持ち上げたり、横向きに傾ける等、作業時の取り扱いに手間と時間がかかるという問題があり、その点で改善の余地があった。
【０００７】
本発明は、上述する問題点に鑑みてなされたもので、手間や時間を低減できる簡単な作業により、隣り合う什器の天板同士の間隔や、天板と壁との間隔を一定に保持することができる什器を提供することを目的とする。
【課題を解決するための手段】
【０００８】
上記目的を達成するため、本発明に係る什器は、天板と、床面上に設置されて前記天板を支持する脚部と、前記脚部の下端に設けられるベース部材と、延伸部及び該延伸部の先端に設けられた当接部を有し、前記ベース部材から水平方向に前記延伸部を突出させて配置可能なスペーサーと、を備え、前記スペーサーは、前記当接部が鉛直軸回りに回転不能で前記脚部の側面に係止される収納位置と、前記当接部が前記天板の外周端部よりも張り出した張出し位置と、の間で選択的に切り替え可能な状態で前記ベース部材の上面に固定されていることを特徴としている。
【０００９】
本発明では、ベース部材を床面上に設置した状態のままベース部材の上面の位置において、水平方向にスペーサーの延伸部を突出させて張出し位置としたり、収納位置とすることを容易に行うことができるので、これら収納位置と張出し位置との切り替え作業にかかる手間と時間を低減することができる。
【００１０】
本発明では、スペーサーの張出し方向に沿って什器同士を並べて配置する際には、什器同士のそれぞれのスペーサーを当接部が天板の外周端部よりも張り出した姿勢でベース部材の上面に対して固定することで張出し位置とすることができる。そして、各什器におけるスペーサーの当接部同士を突き合わせて当接させることで、それぞれの什器の天板同士の間に所定の隙間を確保することができる。また、スペーサーの張出し方向に什器を壁に付けて配置する際にも同様に、ベース部材から張り出したスペーサーの当接部を壁に当接させることで、天板と壁との間に固定された所定の隙間を確保することができる。
このように、什器が固定された状態で積極的に上記隙間が形成されることから、天板同士の間や、天板と壁との間に物体が挟み込まれることを防止することができる。
【００１１】
また、上述したような什器同士を並べたり、壁に付けて配置しない場合には、スペーサーをベース部材に収納された姿勢に切り替えて収納位置にすることで、当接部が鉛直軸回りに回転不能で脚部の側面に係止され、スペーサーが回転しない状態となる。つまり、収納位置にあるスペーサーは、天板の内方に位置した収納位置で確実に保持され、見映えが良好となるうえ、什器を使用する際にスペーサーが邪魔になることがない。
【００１２】
また、本発明に係る什器は、前記スペーサーの前記延伸部には、延伸方向に沿う順に第１固定部と第２固定部とが設けられ、前記ベース部材には、前記張出し位置にある前記スペーサーの前記第１固定部と前記第２固定部にそれぞれ対応して固定される第１被固定部、第２被固定部を有し、前記収納位置において、前記スペーサーの前記第１固定部を前記第１被固定部に固定されていることを特徴としてもよい。
【００１３】
この場合には、スペーサーが張出し位置にあるときには、第１固定部と第２固定部とがそれぞれベース部材の第１被固定部、第２被固定部の２箇所で固定されるので、スペーサーの鉛直軸回りに回転することを防止することができる。また、収納位置において、当接部が鉛直軸回りに回転不能で脚部の側面に係止されるので、第１固定部をベース部材の第１被固定部に１箇所のみの固定により、スペーサーの鉛直軸回りの回転が規制された状態で収納することができる。
【００１４】
また、本発明に係る什器では、前記スペーサーの前記延伸部には、スペーサー幅方向の中心に位置する第１挿入孔と、前記スペーサー幅方向で前記第１挿入孔からずれて位置する第２挿入孔と、が設けられ、前記ベース部材には、雌ねじ部が設けられ、前記張出し位置において、前記第１挿入孔を前記雌ねじ部に一致させた状態でねじで固定され、前記収納位置において、前記第２挿入孔を前記雌ねじ部に一致させた状態でねじで固定されていることを特徴としてもよい。
【００１５】
この場合には、張出し位置において、スペーサーはスペーサー幅方向の中心に位置する第１挿入孔を使用してベース部材の雌ねじ部に一致させた状態でねじで固定されるので、上述したようにスペーサーの当接部同士を突き合わせて配置する場合でも安定した姿勢を維持することができる。一方、収納位置にあるスペーサーを、スペーサー幅方向で第１挿入孔からずれた位置で第２挿入孔を使用して雌ねじ部に一致させた状態でねじで固定することが可能となる。そのため、スペーサーは、ベース部材の上面のうち第１挿入孔を使用して固定される場合に比べて内側の位置に固定することができ、収納状態におけるスペーサーを目立たない位置とすることが可能となる。
【００１６】
また、本発明に係る什器では、前記スペーサーの前記延伸部には、スペーサー幅方向に延びる長穴が設けられ、前記ベース部材には、雌ねじ部が設けられ、前記張出し位置において、前記長穴の長軸方向の中心部を前記雌ねじ部に一致させた状態でねじで固定され、前記収納位置において、前記長穴の前記長軸方向で前記中心部からずれた位置を前記雌ねじ部に一致させた状態でねじで固定されていることを特徴としてもよい。
【００１７】
この場合には、張出し位置において、スペーサーはスペーサー幅方向に延びる長穴の中心の位置をベース部材の雌ねじ部に一致させた状態でねじで固定されるので、上述したようにスペーサーの当接部同士を突き合わせて配置する場合でも安定した姿勢を維持することができる。一方、収納位置にあるスペーサーを、長穴におけるスペーサー幅方向で前記中心の位置からずれた位置で雌ねじ部に一致させた状態でねじで固定することが可能となる。そのため、スペーサーは、ベース部材の上面のうち第１挿入孔を使用して固定される場合に比べて内側の位置に固定することができ、収納状態におけるスペーサーを目立たない位置とすることが可能となる。
【００１８】
また、本発明に係る什器では、前記ベース部材には、互いに離間する一対の前記脚部が設けられ、前記一対の前記脚部同士の離間は、前記収納位置にある前記スペーサーの延伸方向の長さ寸法よりも大きいことが好ましい。
【００１９】
この場合には、収納状態におけるスペーサーの位置を脚部間の位置といったより目立たない位置に配置することができる。
【００２０】
また、本発明に係る什器では、前記ベース部材と前記脚部とが直角に設けられ、前記延伸部と前記当接部との間とが直角に屈曲していることが好ましい。
【００２１】
この場合には、延伸部と当接部の角部を、脚部とベース部材との角部に沿わせて配置することができ、収納位置のスペーサーが目立ちにくくなる。
【発明の効果】
【００２２】
本発明の什器によれば、手間や時間を低減できる簡単な作業により、隣り合う什器の天板同士の間隔や、天板と壁との間隔を一定に保持することができる。
【図面の簡単な説明】
【００２３】
【図１】本発明の実施の形態によるデスク装置の全体構成を斜め後方から見た斜視図である。
【図２】図１に示すデスク装置を後方から見た正面図である。
【図３】デスク装置を幅方向から見た側面図である。
【図４】デスク装置を上方からみた平面図である。
【図５】ベース部材に固定される張出し位置にあるスペーサーの構成を示す斜視図である。
【図６】ベース部材に固定される収納位置にあるスペーサーの構成を示す斜視図である。
【図７】スペーサーの構成を示す図であって、（ａ）はその平面図、（ｂ）は延伸方向の一方から見た当接部の正面図、（ｃ）はスペーサー幅方向から見た側面図である。
【図８】図６に示すスペーサーが収納位置にある状態の図であって、（ａ）は上方から見た平面図、（ｂ）は（ａ）に示すＡ−Ａ線断面図である。
【図９】図５に示すスペーサーが張出し位置にある状態の図であって、（ａ）は上方から見た平面図、（ｂ）は（ａ）に示すＢ−Ｂ線断面図である。
【図１０】第１変形例によるスペーサーの平面図であって、図７（ａ）に対応する図である。
【図１１】図１０に示す第１変形例によるスペーサーを張出し位置に設けた平面図であって、図９（ａ）に対応した図である。
【図１２】図１０に示す第１変形例によるスペーサーを収納位置に設けた平面図であって、図８（ａ）に対応した図である。
【図１３】デスク装置同士を幅方向に並べて配置した側面図である。
【図１４】デスク装置を壁に付けて配置した側面図である。
【図１５】第２変形例によるベース部材にスペーサーを設けた平面図である。
【図１６】第３変形例によるベース部材にスペーサーを設けた平面図であって、スペーサーを張出し位置とした図である。
【図１７】第３変形例によるベース部材にスペーサーを設けた平面図であって、スペーサーを収納位置とした図である。
【発明を実施するための形態】
【００２４】
以下、本発明の実施形態による什器について、図面に基づいて説明する。
【００２５】
図１乃至図４に示す本実施形態によるデスク装置１（什器）は、天板１０と、床面Ｆ上に互いに間隔をあけて配置され、天板１０を昇降可能に支持し、上下方向Ｄｖに伸縮可能に構成され天板１０の左右方向（後述する幅方向Ｄｈ）に間隔をあけて設けられた天板支持脚１１，１１（脚部）と、を備えている。
【００２６】
ここで、本実施の形態では、床面Ｆ上に床面Ｆに対して平行な一方向に配置される一対の天板支持脚１１，１１の離間方向は上方から見た平面視で互いに平行であり、この離間方向を幅方向Ｄｈといい、前記平面視で幅方向Ｄｈに直交する方向を前後方向Ｄｆという。前後方向Ｄｆにおいて、天板１０に向かって着座した人の手前側を前方、前側といい、その反対側を後方、後側という。
【００２７】
幅方向Ｄｈの両側に設けられる各天板支持脚１１は、それぞれ前後方向Ｄｆに間隔をあけて一対の支持脚１１Ａ、１１Ｂにより構成されている。支持脚１１Ａ、１１Ｂは、下部筒状体１２と、中間筒状体１３と、上部筒状体１４と、を有している。下部筒状体１２、中間筒状体１３、及び上部筒状体１４は、それぞれ上下方向Ｄｖに延びる四角形筒状に形成されている。下部筒状体１２の内部に中間筒状体１３が収納され、中間筒状体１３の内部に上部筒状体１４が収納されている。支持脚１１Ａ、１１Ｂは、モータ等の駆動機構（不図示）を備えており、この駆動機構により下部筒状体１２に対して中間筒状体１３及び上部筒状体１４をそれぞれ上下方向Ｄｖに移動させることで、天板支持脚１１を上下方向Ｄｖに伸縮させることができる。
【００２８】
天板支持脚１１の下端部には、ベース部材３１が設けられている。ベース部材３１は、床面Ｆ上に配置され、床面Ｆに平行で前後方向Ｄｆに延びている。ベース部材３１の下面には、ベース部材３１の高さ及びレベルの調整を行うアジャスター３２が設けられている。天板支持脚１１は、ベース部材３１において前後方向Ｄｆの中央部分に配置されている。天板支持脚１１の下部筒状体１２は、ベース部材３１の下面側からボルト等により固定されている。
【００２９】
ベース部材３１は、中空の筒状部材からなり、その下壁の下方からアジャスター３２のねじ部（図示省略）が螺合されている。つまり、アジャスター３２は、ねじ部がベース部材３１の中空部に突出した状態で取り付けられている。
【００３０】
天板支持脚１１の上端部には、図２に示すように、天板１０を下方から支持する上部支持体１５が設けられている。上部支持体１５は、上部筒状体１４の上端部に固定され、前後方向Ｄｆに延びている。天板１０は、平面視長方形で、上部支持体１５の下方からボルト等により固定されている。天板１０の下面には、支持脚１１Ａ、１１Ｂを昇降させるための天板昇降操作スイッチ（図示省略）が配置されている。
【００３１】
さらに、天板１０の下面には、上述した操作スイッチにより入力された信号に基づき、天板支持脚１１の昇降動作を制御するコントローラー（不図示）が設けられている。そして、上述した操作用スイッチ、コントローラー、昇降機構をなす天板支持脚１１が図示しない配線ケーブルによって接続されている。
【００３２】
また、天板１０の後端には、天板１０の幅方向Ｄｈ全体にわたって延在する配線ダクト１６が取り付けられている。配線ダクト１６は、天板１０の後端１０ｂから下方に延ばされた支持壁１６Ａと、支持壁１６Ａの下端から前方に向けて延ばされ配線等を収容する収容溝部１６Ｂと、を有している。そのため、収容溝部１６Ｂは、天板１０の下方に位置するとともに、後方から見たときに収容溝部１６Ｂに収容される配線等が支持壁１６Ａによって隠れて見えにくくなっている。
【００３３】
図５及び図６に示すように、ベース部材３１の長手方向の中央部で一対の支持脚１１Ａ、１１Ｂ同士の間の部分には、ベース部材３１が延在する長手方向（前後方向Ｄｆ）に直交する方向に突出させた状態に配置可能なスペーサー２０が設けられている。このとき、一対の支持脚１１Ａ、１１Ｂ同士の離間は、収納位置Ｐ１にあるスペーサー２０の延伸方向Ｘ１の長さ寸法よりも大きく設定されている。
【００３４】
スペーサー２０は、図７（ａ）〜（ｃ）に示すように、側面視でＬ型の薄板部材からなり、一方向に延びる延伸部２１と、延伸部２１の長手方向（延伸方向Ｘ１）の一端から直角に折れ曲がって延びる当接部２２と、を有している。
【００３５】
延伸部２１には、ベース部材３１の上面３１ｂに対してねじ２５を使用して着脱可能で板厚方向に貫通する固定孔２４Ａ、２４Ｂが形成されている。当接部２２における高さ、すなわち延伸部２１からの突出長は、ベース部材３１の高さ寸法よりも小さく設定されている。なお、この当接部２２の突出長は、スペーサー２０が当接部２２の突出方向を下に向けてベース部材３１の上面３１ｂに取り付けた状態で、当接部２２が床面Ｆに接触しない寸法に設定されている（図９（ｂ）参照）。
【００３６】
スペーサー２０は、図６及び図８（ａ）、（ｂ）に示すように、当接部２２が鉛直軸回りに回転不能で天板支持脚１１のうち一方の支持脚１１Ａの側面１１ａに係止される収納位置Ｐ１と、図５及び図９（ａ）、（ｂ）に示すように、当接部２２が天板１０の外周端部１０ａ（図４参照）よりも張り出した張出し位置Ｐ２と、の間で選択的に切り替え可能な状態でベース部材３１の上面３１ｂに固定されている。
【００３７】
スペーサー２０の延伸部２１には、図７（ａ）に示すように、延伸方向Ｘ１に沿って当接部２２側から反対側に向けて第１固定孔２４Ａ（第１固定部）と第２固定孔２４Ｂ（第２固定部）とがその順で設けられている。
【００３８】
第１固定孔２４Ａは、延伸部２１における延伸方向Ｘ１の中央よりも基端２０ａ寄りの位置に配置され、平面視で延伸方向Ｘ１に直交する方向（スペーサー幅方向Ｘ２）に沿って配列され互いに連結された３連のビス穴２４ａ、２４ｂ、２４ｃを有している。これら３連のビス穴２４ａ、２４ｂ、２４ｃのうち中央に位置するビス穴２４ｂ（第１挿入孔）は、延伸部２１においてスペーサー幅方向Ｘ２の中心に位置している。また、ビス穴２４ａ、２４ｃ（第２挿入孔）は、中央に位置するビス穴２４ｂを挟んだ両側にずれた位置に設けられている。
第２固定孔２４Ｂは、第１固定孔２４Ａよりもさらに延伸部２１の基端２０ａ側に位置し、スペーサー幅方向Ｘ２の中央に設けられている。
【００３９】
ここで、ベース部材３１には、図８（ａ）及び図９（ｂ）に示すように、張出し位置Ｐ２にあるスペーサー２０の第１固定孔２４Ａと第２固定孔２４Ｂにそれぞれ対応して固定される第１雌ねじ孔３３Ａ（雌ねじ部、第１被固定部）、第２雌ねじ孔３３Ｂ（第２被固定部）を有している。
【００４０】
図９（ａ）、（ｂ）に示すように、スペーサー２０が張出し位置Ｐ２にあるときには、延伸部２１の延伸方向Ｘ１を幅方向Ｄｈに向け当接部２２を下に向けて、延伸部２１の第１固定孔２４Ａの中央のビス穴２４ｂをベース部材３１の第１雌ねじ孔３３Ａに一致させるとともに、第２固定孔２４Ｂをベース部材３１の第２雌ねじ孔３３Ｂに一致させ、それぞれねじ２５で固定することにより、当接部２２がベース部材３１から所定の突出長をもって配置される。
【００４１】
また、図８（ａ）、（ｂ）に示すように、スペーサー２０が収納位置Ｐ１にあるときには、延伸部２１の延伸方向Ｘ１を前後方向Ｄｈに向け当接部２２を上に向けた状態で、第１固定孔２４Ａの中央よりずれた位置のビス穴２４ｂをベース部材３１の第１雌ねじ孔３３Ａに一致させてねじ２５で固定することにより、当接部２２が一方の支持脚１１Ａの側面１１ａに当接した状態で配置される。
【００４２】
なお、本実施の形態では、スペーサー２０の第１固定孔２４Ａとして、３連のビス穴２４ａ、２４ｂ、２４ｃを有する構成としているが、これに代えて図１０に示す第１変形例のような長穴２６を形成したものであってもよい。
具体的にスペーサー２０の延伸部２１には、スペーサー幅方向Ｘ２に延びる長穴２６が設けられている。そして、図１１に示すように、スペーサー２０が張出し位置Ｐ２にあるときには、長穴２６の長軸方向の中心部２６ａをベース部材３１の第１雌ねじ孔３３Ａに一致させた状態でねじで固定される。また、図１２に示すように、スペーサー２０が収納位置Ｐ１にあるときには、長穴２６の長軸方向で中心部２６ａからずれた位置２６ｂを第１雌ねじ孔３３Ａに一致させた状態でねじで固定される。
【００４３】
次に、上述したデスク装置１（什器）の作用について、図面に基づいて詳細に説明する。
図８（ａ）、（ｂ）及び図９（ａ）、（ｂ）に示すように、本実施形態では、ベース部材３１を床面Ｆ上に設置した状態のままベース部材３１の上面３１ｂの位置において、水平方向にスペーサー２０の延伸部２１を突出させて張出し位置Ｐ２としたり、収納位置Ｐ１とすることを容易に行うことができるので、これら収納位置Ｐ１と張出し位置Ｐ２との切り替え作業にかかる手間と時間を低減することができる。
【００４４】
本実施の形態では、図１３に示すように、スペーサー２０の張出し方向に沿ってデスク装置１同士を並べて配置する際には、デスク装置１、１同士のそれぞれのスペーサー２０を当接部２２が天板１０の外周端部１０ａよりも張り出した姿勢でベース部材３１の上面３１ｂに対して固定することで張出し位置Ｐ２とすることができる。そして、各デスク装置１におけるスペーサー２０の当接部２２、２２同士を突き合わせて当接させることで、それぞれのデスク装置１の天板１０、１０同士の間に所定の隙間Ｓを確保することができる。
また、スペーサー２０を張出し位置Ｐ２とした使用時において、突出部である当接部２２を下に向けた状態とすることで、当接部２２に物が引っ掛かる等の干渉を防ぐことができる。
【００４５】
また、図１４に示すように、スペーサー２０の張出し方向にデスク装置１を壁Ｈに付けて配置する際にも同様に、ベース部材３１から張り出したスペーサー２０の当接部２２を壁Ｈに当接させることで、天板１０と壁Ｈとの間に固定された所定の隙間Ｓを確保することができる。
このように、デスク装置１が固定された状態で積極的に上記隙間Ｓが形成されることから、天板１０、１０同士の間や、天板１０と壁Ｈとの間に物体が挟み込まれることを防止することができる。
【００４６】
また、上述したようなデスク装置１同士を並べたり、壁Ｈに付けて配置しない場合には、図８（ａ）、（ｂ）に示すように、スペーサー２０をベース部材３１に収納された姿勢に切り替えて収納位置Ｐ１にすることで、当接部２２が鉛直軸回りに回転不能で天板支持脚１１の側面１１ａに係止され、スペーサー２０が回転しない状態となる。つまり、収納位置Ｐ１にあるスペーサー２０は、天板１０の内方に位置した収納位置Ｐ１で確実に保持され、見映えが良好となるうえ、デスク装置１を使用する際にスペーサー２０が邪魔になることがない。
【００４７】
また、図９（ａ）、（ｂ）に示すように、本実施の形態では、スペーサー２０が張出し位置Ｐ２にあるときには、第１固定孔２４Ａと第２固定孔２４Ｂとがそれぞれベース部材３１の第１雌ねじ孔３３Ａ、第２雌ねじ孔３３Ｂの２箇所で固定されるので、スペーサー２０の鉛直軸回りに回転することを防止することができる。
また、収納位置Ｐ１において、当接部２２が鉛直軸回りに回転不能で天板支持脚１１の側面１１ａに係止されるので、第１固定孔２４Ａをベース部材３１の第１雌ねじ孔３３Ａに１箇所のみの固定により、スペーサー２０の鉛直軸回りの回転が規制された状態で収納することができる。
【００４８】
また、本実施の形態では、図９（ａ）に示すように、張出し位置Ｐ２において、スペーサー２０はスペーサー幅方向Ｘ２の中心に位置するビス穴２４ｂを使用してベース部材３１の第１雌ねじ孔３３Ａに一致させた状態でねじで固定されるので、上述したようにスペーサー２０の当接部２２同士を突き合わせて配置する場合でも安定した姿勢を維持することができる。
一方、収納位置Ｐ１にあるスペーサー２０を、図８（ａ）に示すように、スペーサー幅方向Ｘ２でビス穴２４ｂからずれた位置でビス穴２４ａを使用して第１雌ねじ孔３３Ａに一致させた状態でねじ２５で固定することが可能となる。そのため、スペーサー２０は、ベース部材３１の上面３１ｂのうちビス穴２４ｂを使用して固定される場合に比べて内側の位置に固定することができ、収納状態におけるスペーサー２０を目立たない位置とすることが可能となる。
【００４９】
また、本実施の形態では、ベース部材３１に互いに離間する一対の支持脚１１Ａ、１１Ｂが設けられ、これら一対の支持脚１１Ａ、１１Ｂ同士の離間が収納位置Ｐ１にあるスペーサー２０の延伸方向Ｘ１の長さ寸法よりも大きい構成であるため、収納状態におけるスペーサー２０の位置を支持脚１１Ａ、１１Ｂ間の位置といったより目立たない位置に配置することができる。
【００５０】
また、本実施の形態では、ベース部材３１と天板支持脚１１とが直角に設けられ、延伸部２１と当接部２２との間とが直角に屈曲しているので、延伸部２１と当接部２２の角部を、天板支持脚１１とベース部材３１との角部に沿わせて配置することができ、収納位置Ｐ１のスペーサー２０が目立ちにくくなる。
このようにスペーサー２０を収納位置Ｐ１とした収納時において、スペーサー２０における突出部が生じることがないため、物が引っ掛かる等の干渉を防ぐことができる。この収納位置Ｐ１の場合には、当接部２２を上に向けた状態となることから、ベース部材３１に当接部２２を収容するための孔を設ける必要がなく、加工が不要になる。
【００５１】
上述のように本実施の形態によるデスク装置１では、手間や時間を低減できる簡単な作業により、隣り合うデスク装置１の天板１０、１０同士の間隔や壁との間隔を一定に保持することができる。
【００５２】
以上、本発明による什器の実施の形態について説明したが、本発明は上記の実施の形態に限定されるものではなく、その趣旨を逸脱しない範囲で適宜変更可能である。
【００５３】
例えば、本実施の形態のデスク装置１は、天板１０が天板支持脚１１によって昇降可能に支持された構成としているが、天板１０が昇降しない構成であってもかまわない。すなわち、天板支持脚１１の構成として、本実施の形態のような複数の筒状体（下部筒状体１２、中間筒状体１３、上部筒状体１４）を設けることに限定されるものではない。
【００５４】
さらに、本実施の形態では、デスク装置１を什器の対象としているが、デスクに限定されることはなく、他の什器であってもかまわない。要は、天板と、床面Ｆ上に設置されて天板を支持する脚部と、脚部の下端に設けられるベース部材が設けられている什器であればよいのである。
【００５５】
さらにまた、本実施の形態では、幅方向Ｄｈの一方の天板支持脚１１が２本の支持脚１１Ａ、１１Ｂによって構成されているが、１本の支持脚によって天板１０を支持する構成であってもよい。
【００５６】
また、ベース部材３１の形状として、上述した実施の形態のような一方向に延在する長尺の筒状部材であることに限定されることはない。
例えば、図１５に示す第２変形例のように、上方から見た平面視でコ字形状に形成されたベース部材３１を採用することも可能である。図１５に示すベース部材３１Ａは、中央に位置する第１部材３１ｃ、その第１部材３１ｃの両側に配置される第２部材３１ｄ、３１ｄから構成されており、第１部材３１ｃにスペーサー２０が固定されている。なお、図１５に示す二点鎖線は天板１０を示している。
【００５７】
図１６及び図１７に示す第３変形例は、ベース部材３１において２本の天板支持脚１１、１１同士の間に２個のスペーサー２０、２０を設けている。スペーサー２０は、上述した図１０〜図１２に示す第１変形例のものと同様で長穴２６を形成したものである。２個のスペーサー２０、２０は、図１６に示す張出し位置Ｐ２、及び図１７に示す収納位置Ｐ１のいずれの位置において、互いにベース部材３１の長さ方向（前後方向Ｄｆ）に間隔をあけて配置されている。つまり、図１６に示す張出し位置Ｐ２では、２つのスペーサー２０のベース部材３１からの突出長が同じになっている。図１７に示す収納位置Ｐ１では、各スペーサー２０の当接部２２が天板支持脚１１の側面１１ａに当接させた状態で係止されている。
この場合には、スペーサー２０による当接箇所が２箇所となるため、両方のスペーサー２０、２０を例えば壁Ｈに当接させることで、天板同士の間隔や天板と壁との間隔を所定の間隔にすることができる。つまり、２つのスペーサー２０、２０とすることで、スペーサー２０が１つの場合に比べて、天板同士の間隔や天板と壁との間隔をより確実に一定に保持することができる。
【００５８】
なお、１つのベース部材に配置されるスペーサーの数量は、とくに制限されることはなく、３つ以上のスペーサーが設けられていてもよい。要は、スペーサーの当接部が鉛直軸回りに回転不能で脚部の側面に係止される収納位置と、当接部が天板の外周端部よりも張り出した張出し位置と、の間で選択的に切り替え可能な状態でベース部材の上面に固定することが可能であれば良いのである。
【００５９】
その他、本発明の趣旨を逸脱しない範囲で、上記した実施の形態における構成要素を周知の構成要素に置き換えることは適宜可能である。
【符号の説明】
【００６０】
１  デスク装置（什器）
１０  天板
１０ａ  外周端部
１１、１１Ａ、１１Ｂ  天板支持脚（脚部）
２０  スペーサー
２１  延伸部
２２  当接部
２４Ａ  第１固定孔（第１固定部）
２４Ｂ  第２固定孔（第２固定部）
２４ｂ  ビス穴（第１挿入孔）
２４ａ、２４ｃ  ビス穴（第２挿入孔）
２５  ねじ
２６  長穴
３１、３１Ａ  ベース部材
３１ａ  上面
３３Ａ  第１雌ねじ孔（雌ねじ部、第１被固定部）
３３Ｂ  第２雌ねじ孔（第２被固定部）
Ｄｆ  前後方向
Ｄｈ  幅方向
Ｆ  床面
Ｈ  壁
Ｐ１  収納位置
Ｐ２  張出し位置
Ｓ  隙間
Ｘ１  延伸方向
Ｘ２  スペーサー幅方向
【図１】
2019062945.tif 000003
【図２】
2019062945.tif 000004
【図３】
2019062945.tif 000005
【図４】
2019062945.tif 000006
【図５】
2019062945.tif 000007
【図６】
2019062945.tif 000008
【図７】
2019062945.tif 000009
【図８】
2019062945.tif 000010
【図９】
2019062945.tif 000011
【図１０】
2019062945.tif 000012
【図１１】
2019062945.tif 000013
【図１２】
2019062945.tif 000014
【図１３】
2019062945.tif 000015
【図１４】
2019062945.tif 000016
【図１５】
2019062945.tif 000017
【図１６】
2019062945.tif 000018
【図１７】
2019062945.tif 000019